(57)【要約】【課題】本発明は音響機器に使用される電気音響変換器および電子機器に関するものであり、電気音響変換器の信頼性や品質の向上化が課題であった。【解決手段】本発明は、ターミナル３０のシート状の金属板の折り曲げ部よりフレーム２６側のターミナルを構成するシート状の金属板外周の少なくとも一部を、略直角形状に折り曲げ加工してストッパー２９を構成することにより、外力からストッパーを強化し、ターミナルとしての金属端子のバネ圧の可逆限界値を超えてしまうことなく、常時、強いバネ圧を維持することができる構成としたものである。【選択図】図１
2006020011.tif 000002
【特許請求の範囲】
【請求項１】
磁気回路に結合されたフレームと、このフレームの外周部に結合された振動板と、この振動板に結合されるとともに、その一部が前記磁気回路の磁気ギャップに配置されたボイスコイルと、このボイスコイルのリード線を結線した導電性を有する一枚のシート状の金属板を折り曲げ加工して、この金属板のバネ圧を利用して給電部と接触させるターミナルから構成された電気音響変換器であって、このターミナルの折り曲げが金属材料の可逆限界値を超えない範囲で折り曲げ範囲を制御可能なように前記ターミナルの折り曲げ部より前記フレーム側の前記ターミナルを構成するシート状の金属板外周の少なくとも一部を略直角形状に折り曲げ加工してストッパーを構成した電気音響変換器。
【請求項２】
ストッパーは、１つのターミナルに２箇所以上設けた請求項１記載の電気音響変換器。
【請求項３】
ストッパーは、少なくともその一部をさらに略直角形状に折り曲げ加工してストッパー補強部を形成した請求項１または請求項２記載の電気音響変換器。
【請求項４】
ストッパーに補強リブを形成した請求項１または請求項２に記載の電気音響変換器。
【請求項５】
ストッパー補強部に補強リブを形成した請求項４に記載の電気音響変換器。
【請求項６】
請求項１から請求項５のいずれか１つに記載の電気音響変換器を搭載した電子機器。
【発明の詳細な説明】
【技術分野】
【０００１】
本発明は各種音響機器や情報通信機器に使用される電気音響変換器および携帯電話やゲーム機器等の電子機器に関するものである。
【背景技術】
【０００２】
従来の技術を図６から図１０により説明する。図６から図８は従来の電気音響変換器の断面図であり、携帯電話等の電子機器に搭載されるスピーカやレシーバとして用いられているものである。図９から図１０はこの電気音響変換器を携帯電話等の電子機器に搭載した状態の断面図である。
【０００３】
図６に示すように、着磁されたマグネット１を上部プレート２およびヨーク３により挟み込んで内磁型の磁気回路４を構成している。この磁気回路４のヨーク３を接触させながらターミナル１０の一部をモールドした樹脂フレーム６に磁気回路４を圧入し、接着により結合している。
【０００４】
そして、このフレーム６の周縁部に振動板７を接着し、この振動板７にこれを駆動させるためのボイスコイル８を結合し、このボイスコイル８を磁気ギャップ５にはまり込むように結合している。その後、このボイスコイル８のリード線をターミナル１０の一方の端部に半田付けして結合している。最後に、このターミナル１０の略中央部を２つ折りに折り曲げることにより、フレーム６の外形寸法よりターミナル１０が外部にはみ出さないようにして、もう一方の端部をシステム側への給電端子として構成している。
【０００５】
ここで、このターミナル１０は、導電性を有する一枚のシート状の金属板を折り曲げ加工して、この金属板のバネ圧を利用して給電部と接触させる構成としている。そして、この金属板の折り曲げが金属材料の可逆限界値を超えない範囲で、ターミナル１０のシート状の金属板の最終端を内側に折り曲げ加工してストッパー９を構成することで、折り曲げ範囲を制御している。
【０００６】
図７および図８は図６に示すターミナル１０の状態を示した断面図であり、図６に示すターミナル１０の状態が上死点であると仮定すると、図７はターミナル１０が下死点に達した状態である。図８は図７のターミナル１０が下死点に達した状態から、さらに過大な力が加わり、ストッパー９が変形して潰れた状態である。
【０００７】
図９から図１０については上述の電気音響変換器を携帯電話等の電子機器に搭載した状態の断面図であり、図９はターミナル１０がある程度曲げられて、携帯電話等の電子機器側の給電部に適正なバネ圧がかかった状態を示した状態である。
【０００８】
図１０は携帯電話の落下衝撃等の外的要因により、ターミナル１０が携帯電話等の電子機器側の給電部に押されて変形し、下死点に達した状態から、さらに過大な力が加わり、ストッパー９が変形して潰れた状態である。
【０００９】
尚、この出願の発明に関する先行技術文献情報としては、例えば、特許文献１が知られている。
【特許文献１】特開２００３−３７８９０号公報
【発明の開示】
【発明が解決しようとする課題】
【００１０】
上述の電気音響変換器は、そのセットである携帯電話等の電子機器の信頼性の向上が市場より強く要請されている。よって、これら電子機器の信頼性の向上には、電子機器に搭載される電気音響変換器の信頼性の向上が必要不可欠である。
【００１１】
以上の背景をもとに、従来の課題について説明する。従来のこの種の電気音響変換器であるスピーカやレシーバは、そのターミナル１０の金属端子のバネ圧を発生させてシステム側への給電部と接触により結合させている。
【００１２】
しかしながら、これらのスピーカを携帯電話等の電子機器に取り付ける時に、スピーカの押さえ込み寸法を大きく設定すると、ターミナル１０のストッパー９を変形させてしまい、ターミナル１０の金属端子のバネ圧の可逆限界値を超えてしまうことがある。さらに、これらの携帯電話等の電子機器を誤って落下させてしまうと、過大な衝撃力によりターミナル１０のストッパー９が潰れてしまい、ターミナル１０の金属端子のバネ圧の可逆限界値を超えてしまうことがある。
【００１３】
これはストッパー９も同質の金属端子で構成されているためバネ圧を有しているが、このストッパー９もバネ圧の可逆限界値を超えてしまうことにより、永久変形を来すためである。このようになると、ターミナル１０およびストッパー９のバネ圧が減少してしまうことから、セット給電部との接触結合が不安定になり、セットに衝撃がかかったり、振動したりした時に接触不良を発生し、信号がとぎれてしまうという問題を抱えるものであった。
【００１４】
上述の課題は、ターミナル１０にストッパー９を形成したタイプのみならず、樹脂フレームの射出成形時において、樹脂によりストッパーを一体化成形したタイプのものにおいても発生する課題であった。このタイプのものは、衝撃により樹脂ストッパーが破壊され、ターミナルの金属端子のバネ圧の可逆限界値を超えてしまうことにより発生する。
【００１５】
以上の理由から、今後はセットに衝撃がかかったり、振動したりしてもスピーカの信号がとぎれてしまうことのないようにターミナル１０のバネ圧が減少しない構成にすることが課題であった。
【００１６】
本発明は、上記課題を解決するもので、ターミナルのバネ圧の減少を防止して、スピーカへの安定した信号供給を実現できる優れた電気音響変換器およびそれを用いた電子機器を提供するものである。
【課題を解決するための手段】
【００１７】
上記目的を達成するために本発明は、ターミナルの折り曲げが金属材料の可逆限界値を超えない範囲にとどまるようにストッパーの強化を図ったものである。すなわち、ターミナルのシート状の金属板の折り曲げ部よりフレーム側のターミナルを構成するシート状の金属板外周の少なくとも一部を、略直角形状に折り曲げ加工してストッパーを構成することで、その折り曲げ範囲を制御している。
【００１８】
この構成により、ストッパーは携帯電話等の電子機器の給電部からの加圧に対して略直角形状に支えることで、ターミナルを強く保護することができ、ストッパー自体の変形を最小限にとどめることができることから、ストッパーの強化を図ることができる。このため、スピーカを携帯電話等の電子機器に取り付ける時に、スピーカの押さえ込み寸法を大きく設定したり、携帯電話等の電子機器を誤って落下させ、ターミナルに過大な衝撃力が加わっても、ストッパーが変形したり、潰れてしまうことがなくなる。
【００１９】
よって、ターミナルの金属端子のバネ圧の可逆限界値を超えてしまうことがなくなり、ターミナルのバネ圧が減少してしまうことがなく、ターミナルは常時、強いバネ圧を維持することができ、携帯電話等の電子機器の給電部との接触結合が安定化し、セットに衝撃がかかったり、振動したりした時でも、接触不良を発生することがないため、信号がとぎれることなく安定化する。従って、携帯電話等の電子機器の信頼性の向上を図ることができる。
【発明の効果】
【００２０】
以上のように本発明は、ターミナルのシート状の金属板の折り曲げ部よりフレーム側のターミナルのシート状の金属板外周の少なくとも一部を略直角形状に折り曲げ加工してストッパーを構成することで、外力からストッパーを強化している。この構成により、ストッパーが変形したり、潰れたりすることなく強化され、ターミナルの金属端子のバネ圧の可逆限界値を超えてしまうことがなくなり、ターミナルは常時、強いバネ圧を維持することができる。
【００２１】
よって、携帯電話等の電子機器の給電部との接触結合が安定化し、セットに衝撃がかかったり、振動したりした時でも、接触不良を発生することがないため、信号がとぎれることなく安定化することができ、携帯電話等の電子機器の信頼性や品質の向上を図ることができる。
【発明を実施するための最良の形態】
【００２２】
以下、本発明の実施の形態について図面を用いて説明する。
【００２３】
（実施の形態１）
以下、実施の形態１を用いて、本発明の特に請求項１から請求項５に記載の発明について説明する。図１から図３は本発明の一実施形態の電気音響変換器であるスピーカを示したものであり、その外形が長方形タイプのスリムスピーカに適用した例について示している。図１は本発明の一実施形態の電気音響変換器の断面図であり、図２は図１におけるターミナルが下死点に達した状態の断面図であり、図３は図１における別方向からの斜視図を示したものである。
【００２４】
図１から図３に示すように、着磁されたマグネット２１を上部プレート２２およびヨーク２３により挟み込んで内磁型の磁気回路２４を構成している。この磁気回路２４のヨーク２３を接触させながらターミナル３０の一部をモールドした樹脂フレーム２６に磁気回路２４を圧入し、接着により結合している。
【００２５】
そして、このフレーム２６の周縁部に振動板２７を接着し、この振動板２７にこれを駆動させるためのボイスコイル２８を結合し、このボイスコイル２８を磁気ギャップ２５にはまり込むように結合している。その後、このボイスコイル２８のリード線をターミナル３０の一方の端部に半田付けして結合している。最後に、このターミナル３０の略中央部を２つ折りに折り曲げることにより、フレーム２６の外形寸法よりターミナル３０が外部にはみ出さないようにして、もう一方の端部をシステム側への給電端子として構成している。
【００２６】
ここで、このターミナル３０は金属板の折り曲げが金属材料の可逆限界値を超えない範囲で、ターミナル３０のシート状の金属板の折り曲げ部よりフレーム２６側のターミナル３０のシート状の金属板外周の少なくとも一部を略直角形状に折り曲げ加工してストッパー２９を構成することで、外力からストッパーを強化している。この構成により、スピーカを強く押さえつけて取り付けを実施しても、ターミナル３０のストッパー２９が当たり、それ以上動かなくなる。
【００２７】
また、携帯電話等の電子機器を誤って落下させ、ターミナル３０に過大な衝撃力が加わっても、ストッパー２９が変形したり、潰れてしまうことがなくなる。よって、ターミナル３０の金属端子のバネ圧の可逆限界値を超えてしまうことがなくなり、ターミナル３０のバネ圧が減少してしまうことがない。
【００２８】
このため、ターミナル３０は常時、強いバネ圧を維持することができ、セット給電部との接触結合が安定化し、セットに衝撃がかかったり、振動したりした時でも、接触不良を発生することがないため、信号がとぎれることなく安定化する。従って、携帯電話等の電子機器の信頼性の向上を図ることができる。
【００２９】
また、上述のストッパー２９は、１つのターミナル３０につき、１箇所設けた例を示したが、ストッパーとしての強度向上のために、１つのターミナル３０に２箇所以上設けた構成としても良い。この構成により、さらにストッパーとしての強度向上を図ることができる。
【００３０】
また、ストッパー２９は、図３に示すように、少なくともその一部をさらに略直角形状に折り曲げ加工してストッパー補強部２９ａを形成しても良い。このストッパー補強部２９ａを形成することで、さらにストッパーとしての強度向上を図ることができる。
【００３１】
さらに、図３に示すように、ストッパー２９やストッパー補強部２９ａに、補強リブ２９ｂを形成することも、強度向上に対して非常に有効な手段である。この構成により、さらにストッパーとしての強度向上を図ることができる。
【００３２】
（実施の形態２）
以下、実施の形態２を用いて、本発明の特に請求項６に記載の発明について説明する。図４および図５は本発明の一実施形態の電子機器である携帯電話の要部断面図を示したものである。図４および図５に示すように、請求項１から請求項５のいずれか１つに記載のスピーカ３５を搭載して携帯電話８０を構成している。
【００３３】
図４に示すように、この携帯電話８０の構成としては、スピーカ３５と電子回路４０と液晶等の表示モジュール６０等の各部品やモジュール等を外装ケース７０の内部に搭載して携帯電話８０の要部を構成している。そして、スピーカ３５のターミナル３０と電子回路４０とをバネ圧をかけながら接触給電させてスピーカ３５を動作させている。
【００３４】
この構成とすることにより、図５に示すようなスピーカ３５を携帯電話８０に取り付ける時に、スピーカ３５の押さえ込み寸法を大きく設定したり、携帯電話８０を誤って落下させ、ターミナル３０に過大な衝撃力が加わっても、ストッパー２９が変形したり、潰れてしまうことがなくなる。よって、ターミナル３０の金属端子のバネ圧の可逆限界値を超えてしまうことがなくなり、ターミナル３０のバネ圧が減少してしまうことがない。
【００３５】
このため、ターミナル３０は常時、強いバネ圧を維持することができ、携帯電話８０の電子回路４０の給電部との接触結合が安定化し、携帯電話８０に衝撃がかかったり、振動したりした時でも、接触不良を発生することがないため、信号がとぎれることなく安定化させることができる。よって、携帯電話等の電子機器の信頼性や品質の向上を図ることができる。
【産業上の利用可能性】
【００３６】
本発明にかかる電気音響変換器および電子機器は、信頼性や品質の向上化が必要な映像音響機器や情報通信機器、ゲーム機器等の電子機器に適用できる。
【図面の簡単な説明】
【００３７】
【図１】本発明の一実施の形態におけるスピーカの断面図
【図２】本発明の一実施の形態におけるスピーカの断面図
【図３】本発明の一実施の形態におけるスピーカの斜視図
【図４】本発明の一実施の形態における電子機器の要部断面図
【図５】本発明の一実施の形態における電子機器の要部断面図
【図６】従来のスピーカの断面図
【図７】従来のスピーカの断面図
【図８】従来のスピーカの断面図
【図９】従来の電子機器の要部断面図
【図１０】従来の電子機器の要部断面図
【符号の説明】
【００３８】
２１  マグネット
２２  上部プレート
２３  ヨーク
２４  磁気回路
２５  磁気ギャップ
２６  フレーム
２７  振動板
２８  ボイスコイル
２９  ストッパー
２９ａ  ストッパー補強部
２９ｂ  補強リブ
３０  ターミナル
３５  スピーカ
４０  電子回路
６０  表示モジュール
７０  外装ケース
８０  携帯電話
【図１】
2006020011.tif 000003
【図２】
2006020011.tif 000004
【図３】
2006020011.tif 000005
【図４】
2006020011.tif 000006
【図５】
2006020011.tif 000007
【図６】
2006020011.tif 000008
【図７】
2006020011.tif 000009
【図８】
2006020011.tif 000010
【図９】
2006020011.tif 000011
【図１０】
2006020011.tif 000012